(57)【要約】【課題】メンテナンス時に筐体の開閉扉を開けた場合やジャム発生時などに、感電や周辺機器への悪影響を与えることのない静電式インクジェット記録装置を安価に提供する。【解決手段】本発明の静電式インクジェット記録装置は、静電力により、帯電した微粒子を含むインクの吐出を制御し、記録媒体上に画像を記録するものであり、筐体の開閉扉が開放されたことを検知する検知手段と、高電圧装置の電源を遮断する遮断手段と、検知手段により、筐体の開閉扉が開放されたことが検知された場合に、高電圧装置の電源を遮断するように遮断手段を制御する制御手段とを備える。【選択図】図１
2005022197.tif 000002
【特許請求の範囲】
【請求項１】
静電力により、帯電した微粒子を含むインクの吐出を制御し、記録媒体上に画像を記録する静電式インクジェット記録装置であって、
筐体の開閉扉が開放されたことを検知する検知手段と、高電圧装置の電源を遮断する遮断手段と、前記検知手段により、前記筐体の開閉扉が開放されたことが検知された場合に、前記高電圧装置の電源を遮断するように前記遮断手段を制御する制御手段とを備えることを特徴とする静電式インクジェット記録装置。
【請求項２】
前記開閉扉は、前記筐体と係合する回転軸を中心として開閉され、前記検知手段は、前記開閉扉の回転軸近傍に設置されている請求項１に記載の静電式インクジェット記録装置。
【請求項３】
静電力により、帯電した微粒子を含むインクの吐出を制御し、記録媒体上に画像を記録する静電式インクジェット記録装置であって、
前記記録媒体のジャムが発生したことを検知する検知手段と、高電圧装置の電源を遮断する遮断手段と、前記検知手段により、前記記録媒体のジャムが発生したことが検知された場合に、前記高電圧装置の電源を遮断するように前記遮断手段を制御する制御手段とを備えることを特徴とする静電式インクジェット記録装置。
【請求項４】
前記検知手段は、機械的スイッチである請求項１〜３のいずれかに記載の静電式インクジェット記録装置。
【請求項５】
前記高電圧装置は、インクジェットヘッド印加用のパルス電圧印加装置、記録媒体の帯電装置、および記録媒体の除電装置を含み、
前記制御手段は、前記インクジェットヘッド印加用のパルス電圧印加装置の電源を遮断した後、前記記録媒体の帯電装置および前記記録媒体の除電装置の電源を遮断するように前記遮断手段を制御する請求項１〜４のいずれかに記載の静電式インクジェット記録装置。
【請求項６】
前記高電圧装置は、さらにインクジェットヘッド印加用のＤＣバイアス電圧印加装置を含み、
前記制御手段は、前記インクジェットヘッド印加用のパルス電圧印加装置の電源を遮断した後、続いて前記インクジェットヘッド印加用のＤＣバイアス電圧印加装置の電源を遮断し、その後、前記記録媒体の帯電装置および前記記録媒体の除電装置の電源を遮断するように前記遮断手段を制御する請求項５に記載の静電式インクジェット記録装置。
【発明の詳細な説明】
【０００１】
【発明の属する技術分野】
本発明は、静電式インクジェット記録装置に関するものである。
【０００２】
【従来の技術】
静電式インクジェット記録方式は、帯電した微粒子を含むインクを用い、画像データに応じて、インクジェットヘッドの各々の吐出部に所定の電圧を印加することにより、静電力を利用してインクの吐出を制御し、画像データに対応した画像を記録媒体上に記録する方式である。この静電式インクジェット記録方式を採用する記録装置としては、例えば特許文献１に開示のインクジェット記録装置が知られている。
【０００３】
ところで、静電式インクジェット装置は、インクジェットヘッドの構造が単純でマルチチャンネル化しやすく、また、微液滴形成が可能であり、高解像力描画が可能であるという特徴を備えている。しかしその反面、静電式インクジェット装置は、一般的に高電圧を必要とし、メンテナンス時に筐体の開閉扉を開けた場合やジャムが発生した時に、人が感電したり、周辺機器に悪影響を及ぼす場合があるという問題があった。
【０００４】
【特許文献１】
特開平１０−１３８４９３号公報
【０００５】
【発明が解決しようとする課題】
本発明の目的は、前記従来技術に基づく問題点を解消し、メンテナンス時に筐体の開閉扉を開けた場合やジャム発生時などに、感電や周辺機器への悪影響を与えることのない静電式インクジェット記録装置を安価に提供することにある。
【０００６】
【課題を解決するための手段】
上記目的を達成するために、本発明は、静電力により、帯電した微粒子を含むインクの吐出を制御し、記録媒体上に画像を記録する静電式インクジェット記録装置であって、
筐体の開閉扉が開放されたことを検知する検知手段と、高電圧装置の電源を遮断する遮断手段と、前記検知手段により、前記筐体の開閉扉が開放されたことが検知された場合に、前記高電圧装置の電源を遮断するように前記遮断手段を制御する制御手段とを備えることを特徴とする静電式インクジェット記録装置を提供するものである。
【０００７】
ここで、前記開閉扉は、前記筐体と係合する回転軸を中心として開閉され、前記検知手段は、前記開閉扉の回転軸近傍に設置されているのが好ましい。
【０００８】
また、本発明は、静電力により、帯電した微粒子を含むインクの吐出を制御し、記録媒体上に画像を記録する静電式インクジェット記録装置であって、
前記記録媒体のジャムが発生したことを検知する検知手段と、高電圧装置の電源を遮断する遮断手段と、前記検知手段により、前記記録媒体のジャムが発生したことが検知された場合に、前記高電圧装置の電源を遮断するように前記遮断手段を制御する制御手段とを備えることを特徴とする静電式インクジェット記録装置を提供する。
【０００９】
ここで、前記検知手段は、機械的スイッチであるのが好ましい。
【００１０】
また、前記高電圧装置は、インクジェットヘッド印加用のパルス電圧印加装置、記録媒体の帯電装置、および記録媒体の除電装置を含み、
前記制御手段は、前記インクジェットヘッド印加用のパルス電圧印加装置の電源を遮断した後、前記記録媒体の帯電装置および前記記録媒体の除電装置の電源を遮断するように前記遮断手段を制御するのが好ましい。
【００１１】
また、前記高電圧装置は、さらにインクジェットヘッド印加用のＤＣバイアス電圧印加装置を含み、
前記制御手段は、前記インクジェットヘッド印加用のパルス電圧印加装置の電源を遮断した後、続いて前記インクジェットヘッド印加用のＤＣバイアス電圧印加装置の電源を遮断し、その後、前記記録媒体の帯電装置および前記記録媒体の除電装置の電源を遮断するように前記遮断手段を制御するのが好ましい。
【００１２】
【発明の実施の形態】
以下に、添付の図面に示す好適実施形態に基づいて、本発明の静電式インクジェット記録装置を詳細に説明する。
【００１３】
図１は、本発明の静電式インクジェット記録装置の第１の実施形態の構成概略図である。同図に示す静電式インクジェット記録装置１０は、静電力により、帯電した微粒子を含むインクの吐出を制御し、記録媒体（記録用紙）Ｐ上に４色印刷をしてフルカラー画像を記録するもので、記録媒体Ｐの保持手段１２、搬送手段１４および記録手段１６と、溶媒回収手段１８と、高電圧装置の制御手段２０と、筐体２２とを備えている。
【００１４】
まず、記録媒体Ｐの保持手段１２は、記録前の記録媒体Ｐを保持する給紙トレイ２４と、フィードローラ２６と、記録後の記録媒体Ｐを保持する排出トレイ２８とを備えている。
【００１５】
給紙トレイ２４は、その先端部が給紙トレイ２４の装着部（図中筐体２２の左面下部）の内部に挿入され、装着部の所定位置に着脱可能なものである。給紙トレイ２４が装着部に完全に装着された状態では、その挿入方向の先端部が装着部の奥端部に接触し、給紙トレイ２４の後端部は筐体２２の外部に突出した状態で装着される。また、フィードローラ２６は、給紙トレイ２４の装着部の奥部近傍に配置されている。
【００１６】
給紙トレイ２４内には、記録前の記録媒体Ｐが複数枚積層されてストックされる。画像の記録時には、フィードローラ２６により、記録媒体Ｐが給紙トレイ２４から１枚ずつ取り出され、記録媒体Ｐの搬送手段１４に供給される。
【００１７】
排出トレイ２８は、記録媒体Ｐの排出部（図中筐体２２の左面の中央部）の近傍に、その先端部側（記録媒体Ｐの搬送方向側）が筐体２２の外部に位置し、その後端部側が筐体２２の内部に位置するように配設されている。また、排出トレイ２８は、その先端部が後端部よりも低くなるように、所定の傾斜角度で配設されている。
【００１８】
記録後の記録媒体Ｐは、搬送手段１４により搬送されて排出部から排出され、排出トレイ２８内に順次積層されてストックされる。
【００１９】
続いて、記録媒体Ｐの搬送手段１４について説明する。
搬送手段１４は、記録媒体Ｐを静電吸着し、給紙トレイ２４から排出トレイ２８まで所定の経路に沿って搬送するものであり、搬送ローラ対３０と、搬送ベルト３２と、ベルトローラ３４ａ、３４ｂ、３４ｃと、導電性プラテン３６と、記録媒体Ｐの帯電装置３８および除電装置４０と、分離爪４２と、ガイド４４と、定着ローラ対４６とを備えている。
【００２０】
搬送ローラ対３０は、記録媒体Ｐの搬送経路上の、フィードローラ２６と搬送ベルト３２との間の位置に設けられている。
【００２１】
フィードローラ２６により給紙トレイ２４から取り出された記録媒体Ｐは、この搬送ローラ対３０により挟持搬送され、搬送ベルト３２上の所定の位置に供給される。
【００２２】
記録媒体Ｐの帯電装置３８は、スコロトロン帯電器４８と、負の高圧電源５０とを備えている。スコロトロン帯電器４８は、記録媒体Ｐの搬送経路上の、搬送ローラ対３０と記録手段１６との間の位置で、搬送ローラ対３０により、記録媒体Ｐが供給される位置の搬送ベルト３２の表面に対向する位置に配置されている。また、負の高圧電源５０の負側の端子はスコロトロン帯電器４８に接続され、その正側の端子は接地されている。
【００２３】
記録媒体Ｐの表面は、負の高圧電源５０に接続されたスコロトロン帯電器４８により所定の負の高電位に均一に帯電され、常に一定のＤＣバイアス電圧（例えば、約−１．５ｋＶ）が印加された状態となる。これにより、記録媒体Ｐは、搬送ベルト３２の絶縁性を有する表面上に静電吸着される。
【００２４】
搬送ベルト３２は、リング状のエンドレスベルトであり、３つのベルトローラ３４ａ、３４ｂ、３４ｃによって三角形状に張架されている。また、記録手段１６に対向する位置にある搬送ベルト３２の内側には、平板状の導電性プラテン３６が配置されている。
【００２５】
搬送ベルト３２は、記録媒体Ｐが静電吸着される側の面（表面）が絶縁性、ベルトローラ３４ａ、３４ｂ、３４ｃと接触する側の面（裏面）が導電性のものである。ベルトローラ３４ｂは接地されており、従って、搬送ベルト３２の裏面を介してベルトローラ３４ａ、３４ｃおよび導電性プラテン３６も接地される。これにより、記録手段１６に対向する位置の搬送ベルト３２は、インクジェットヘッドの対向電極として機能する。
【００２６】
ベルトローラ３４ａ、３４ｂ、３４ｃのうちの少なくとも１つは図示していない駆動源に接続されており、記録時には、所定の速度で回転駆動される。これにより、搬送ベルト３２は、記録時に図中の矢印方向に移動される。従って、記録媒体Ｐは、搬送ベルト３２の移動とともに移動され、記録手段１６の前を搬送される。
【００２７】
記録媒体Ｐの除電装置４０は、コロトロン除電器５２と、高圧電源５４とを備えている。コロトロン除電器５２は、記録媒体Ｐの搬送経路上の、記録手段１６と分離爪４２との間の位置で、記録後の記録媒体Ｐが搬送される位置の搬送ベルト３２の表面に対向する位置に配置されている。また、高圧電源５４の一端はコロトロン除電器５２に接続され、他端は接地されている。
【００２８】
記録後の記録媒体Ｐは、高圧電源５４に接続されたコロトロン帯電器５２により除電される。これにより、記録媒体Ｐは、搬送ベルト３２から分離されやすくなる。
【００２９】
また、分離爪４２、ガイド４４、および定着ローラ対４６は、記録媒体Ｐの搬送経路上の、除電装置４０の下流側にこの順に配置されている。
【００３０】
除電装置４０により除電された記録媒体Ｐは、分離爪４２により搬送ベルト３２上から分離され、ガイド４４に沿って定着ローラ対４６に供給される。定着ローラ対４６は、ヒートローラを備えるローラ対であり、記録媒体Ｐは、定着ローラ対４６により挟持搬送されつつ、その上に記録された画像は、接触加熱され定着される。定着後の記録媒体Ｐは排出部から排出され、排出トレイ２８内に順次積層されてストックされる。
【００３１】
続いて、記録媒体Ｐの記録手段１６について説明する。
記録手段１６は、静電力により、記録媒体Ｐ上に４色印刷をしてフルカラー画像を記録するものであり、インクジェットヘッド５６と、ヘッドドライバ５８と、インク循環系６０と、記録媒体Ｐの位置検出装置６２とを備えている。
【００３２】
インクジェットヘッド５６は、同時に１行分の画像を記録することが可能なラインヘッドであり、フルカラー画像を記録するためのシアン（Ｃ）、マゼンタ（Ｍ）、イエロー（Ｙ）、ブラック（Ｂ）の４色の吐出ヘッドを備えている。
【００３３】
ここで、帯電した着色微粒子を含むインクの吐出を静電力により制御する方式の静電式インクジェットヘッド５６の各色の吐出ヘッドの具体的なヘッド構造を図３〜図５に示す。
【００３４】
図３は、図１に示すインクジェットヘッド５６で使用されている各色の吐出ヘッド８０の一実施形態の概略構成を示す模式的部分斜視図である。また、図４（ａ）は、図３に示す吐出ヘッド８０の一部を示す模式的断面図であり、図４（ｂ）は、図４（ａ）のＩＶ−ＩＶ線切断面図である。図５（ａ）、図５（ｂ）および図５（ｃ）は、それぞれ図４（ｂ）のＡ−Ａ線、Ｂ−Ｂ線およびＣ−Ｃ線矢視図（貫通孔部分を除く）である。
【００３５】
これらの図に示す吐出ヘッド８０は、２層電極構造の制御電極を持つ静電式インクジェットであって、帯電された顔料等の着色微粒子（例えば、トナー等の微粒子）を含むインクＱを、静電力により吐出させて、画像データに応じた画像を記録媒体Ｐ上に記録するものであり、ヘッド基板８２と、インクガイド８４と、絶縁性基板８６と、制御電極を構成する第１制御電極８８および第２制御電極９０と、浮遊導電板９２とを備えている。吐出ヘッド８０は、対向電極となる記録媒体Ｐを支持する搬送ベルト３２と対向するように配置されている。
【００３６】
図示例の吐出ヘッド８０において、制御電極は、絶縁性基板８６を挟むように、図中上面に配置される第１制御電極８８と下面に配置される第２制御電極９０との２層電極構造としている。
【００３７】
図示例の吐出ヘッド８０は、さらに、第２制御電極９０の下方（下面）を覆う絶縁層９４ａと、第１制御電極８８の上方（上面）を覆う絶縁層９４ｂと、第１制御電極８８の上方に絶縁層８４ｂを介して配置されるシート状のガード電極９６と、ガード電極９６の上面を覆う絶縁層９４ｃとを備えている。
【００３８】
図示例の吐出ヘッド８０においては、インクガイド８４は、突状先端部分８４ａを持つ所定厚みの絶縁性樹脂製平板からなり、吐出部毎にヘッド基板８２の上に配置されている。また、絶縁層９４ａ、  絶縁性基板８６、絶縁層９４ｂおよび９４ｃの積層体には、インクガイド８４の配置に対応する位置に貫通孔９８が開孔されている。この貫通孔９８には、  絶縁層９４ａ側からインクガイド８４が挿入され、  インクガイド８４の先端部分８４ａは、絶縁層９４ｃから突出している。なお、インクガイド８４の先端部分８４ａには、インクＱの供給およびインクＱ内の帯電着色微粒子の先端部分８４ａへの濃縮を促進するために、インク案内溝となる切り欠きを図中上下方向に形成しても良い。
【００３９】
なお、インクガイド８４の先端部分８４ａは、記録媒体Ｐ（搬送ベルト３２）側へ向かうに従って次第に細く略三角形（ないしは台形）に成形されている。また、インクガイド８４の、インクＱが吐出される先端部分（最先端部）８４ａには、金属が蒸着されているのが好ましい。インクガイド８４の先端部分８４ａの金属蒸着はされていなくても良いが、この金属蒸着により、インクガイド８４の先端部分８４ａの誘電率が実質的に大きくなり、強電界を生じさせやすくできるという効果があるので、金属蒸着を行うのが好ましい。なお、インクガイド８４の形状は、インクＱ、特に、インクＱ内の帯電着色粒子を絶縁性基板８６の貫通孔９８を通って先端部分８４ａに濃縮させることができれば、特に、制限的ではなく、例えば、先端部分８４ａは、突状でなくても良いなど適宜変更してもよく、従来公知の形状とすることができる。
【００４０】
ヘッド基板８２と絶縁層９４ａとは、所定間隔離間して配置されており、両者の間には、インクガイド８４にインクＱを供給するためのインクリザーバ（インク室）として機能するインク流路１００が形成されている。なお、インク流路１００内のインクＱは、第１制御電極８８および第２制御電極９０に印加される電圧と同極性に帯電した着色微粒子を含み、記録時には、インク循環系６０（図１参照）によって、所定方向、図４に示す例ではインク流路１００内を右側から左側（図中矢印ａ方向）へ向かって所定の速度（例えば、２００ｍｍ／ｓのインク流）で循環される。以下、インク中の着色微粒子が正帯電している場合を例にとって説明を行う。
【００４１】
第１制御電極８８および第２制御電極９０は、図３に示すように、絶縁性基板８６に開孔された貫通孔９８の周囲を囲むように、絶縁性基板８６の図中上側、すなわち記録媒体Ｐ側の表面に、吐出部毎にリング状に、すなわち円形電極として配置されている。なお、第１制御電極８８および第２制御電極９０の電極形状は、円形電極に限定されず、略円形であっても、分割円形電極であっても、平行電極または略平行電極であっても良い。このような第１制御電極８８および第２制御電極９０は、２層電極構造に構成され、マトリクス状に配置される。ここで、行方向（例えば、主走査方向）に配置された複数の第１制御電極８８は相互に接続され、列方向（例えば、副走査方向）に配置された複数の第２制御電極９０は相互に接続される。
【００４２】
ここで、一つの第１制御電極８８の行を高電圧レベルまたはフローティング（ハイインピーダンス）状態とし、一つの第２制御電極９０の列を高電圧レベルとして、一つの行と一つの列とをともにオン状態にすることにより、両者（行と列）が交差する１つの吐出部をオン状態にして、この吐出部からのインクの吐出を行うことができる。なお、この時、これらの第１および第２制御電極８８および９０の一方が接地レベルの場合にはインクは吐出しない。このように、マトリクス状に配置される第１制御電極８８および第２制御電極９０をマトリクス駆動することができる。従って、第１および第２制御電極８８および９０を駆動するヘッドドライバ５８（図１参照）の数を大幅に減らすことができ、ヘッドドライバ５８の構成をコンパクトにし、その実装面積を削減することができる。
【００４３】
一方、インクガイド８４と対向する位置には、インク中の帯電した着色微粒子と極性が反対となる電圧に帯電された記録媒体Ｐが、搬送ベルト３２に保持されて配置される。上述したように、本実施形態において、記録媒体Ｐは負の高電圧に帯電されている。また、搬送ベルト３２の記録媒体Ｐを保持する面は絶縁性のフッ素樹脂面であり、裏面は導電性の金属面であり、この金属面が導電性のベルトローラ３４ｂを介して接地されている（図１参照）。
【００４４】
浮遊導電板９２は、インク流路１００の下方に配置され、電気的に絶縁状態（ハイインピーダンス状態）となっている。図示例では、ヘッド基板８２の内部に配置されている。
【００４５】
この浮遊導電板９２は、画像の記録時に、吐出部に印加された電圧値に応じて、誘起された誘導電圧が発生し、インク流路１００内のインクＱにおいて、その着色微粒子を絶縁性基板８６側へ泳動させて濃縮させるためのものである。従って、浮遊導電板９２は、インク流路１００よりもヘッド基板８２側に配置される必要がある。また、浮遊導電板９２は、吐出部の位置よりもインク流路１００の上流側に配置される方が好ましい。この浮遊導電板９２により、インク流路１００内の上層の帯電着色微粒子の濃度を高めるため、絶縁性基板８６の貫通孔９８を通過するインクＱ内の帯電着色微粒子の濃度を所定濃度に高めることができ、インクガイド８４の先端部分８４ａに濃縮させて、インク液滴Ｒとして吐出させるインクＱ内の帯電着色微粒子の濃度を所定濃度に安定させることができる。
【００４６】
以上のように構成される２層電極構造の制御電極を持つ本実施形態の吐出ヘッド８０においては、例えば、第２制御電極９０に、常時、所定の電圧、例えば６００Ｖを印加し、第１制御電極８８を、画像データに応じて接地状態（オフ状態）とハイインピーダンス状態（オン状態）とに切り換えることにより、それぞれ第２制御電極９０に印加される高電圧レベルと同極性に帯電した顔料等の着色微粒子を含むインクＱ（インク液滴Ｒ）の吐出／非吐出を制御することができる。すなわち、吐出ヘッド８０では、第１制御電極８８が接地レベルの状態（オフ状態）では、インクガイド８４の先端部分８４ａ近傍の電界強度が低く、インクＱはインクガイド８４の先端部分８４ａからは飛び出さず、第１制御電極８８がハイインピーダンス状態（オン状態）になると、インクガイド８４の先端部分８４ａ近傍の電界強度が高くなり、インクガイド８４の先端部分８４ａに濃縮したインクＱは静電力によって先端部分８４ａから飛び出す。このとき、条件を選ぶことによって更に濃縮を行うこともできる。
【００４７】
このような２層電極構造においては、第１制御電極８８をハイインピーダンス状態と接地レベルとの間でスイッチングすることができるので、スイッチングのために大電力を消費しない。従って、本実施形態によれば、高精細かつ高速性が要求されるインクジェットヘッドにおいても、消費電力を大幅に削減することができる。
【００４８】
なお、第１制御電極８８を、画像データに応じて、接地レベル（オフ状態）と高電圧レベル（オン状態）との間でスイッチングさせて、吐出／非吐出を制御してもよい。本実施形態の吐出ヘッド８０では、第１制御電極８８または第２制御電極９０の一方が接地レベルの場合にはインクが吐出せず、第１制御電極８８がハイインピーダンス状態または高電圧レベルで、かつ第２制御電極９０が高電圧レベルの場合にだけインクが吐出する。
【００４９】
また、本実施形態では、画像信号に応じて、第１および第２制御電極８８および９０にパルス電圧を印加し、両電極ともに高電圧レベルとなった時に、インク吐出を行うようにしても良い。
【００５０】
なお、第１制御電極８８または第２制御電極９０のどちらかで、または、両方で、インク吐出／非吐出の制御を行うかは特に制限的ではないが、第１制御電極８８または第２制御電極９０の一方が接地レベルの場合には、インクＱが吐出せず、第１制御電極８８がハイインピーダンス状態または高電圧レベルで、かつ第２制御電極９０が高電圧レベルの場合にだけインクＱが吐出するようにするのが良い。
【００５１】
また、記録媒体Ｐを例えば−１．６ｋＶに帯電し、第１制御電極８８および第２制御電極９０の何れか一方または両方が負の高電圧（例えば−６００Ｖ）の時にはインクが吐出せず、第１制御電極８８および第２制御電極９０の両方が接地レベル（０Ｖ）の場合にだけインクが吐出するようにしても良い。
【００５２】
また、本実施形態によれば、吐出部を２次元的に配置し、マトリクス駆動するため、行方向の複数の吐出部を駆動する行ドライバおよび列方向の複数の吐出部を駆動する列ドライバの個数を大幅に削減することができる。従って、本実施形態によれば、２次元配列される吐出部の駆動回路の実装面積および消費電力を大幅に削減することができる。また、本実施形態によれば、各吐出部間を比較的余裕をもって配置することができるため、各吐出部間での放電の危険性を極めて低減することができ、高密度実装と高電圧を安全に両立させることができる。
【００５３】
なお、上述した静電吐出型吐出ヘッド８０のように、第１および第２制御電極８８および９０からなる２層電極構造の制御電極を用いるものでは、吐出部を高密度に配置すると、隣接する吐出部間に電界干渉が生じることがある。このため、本実施形態のように、隣接するインクガイド８４への電気力線を遮蔽するために、隣接する吐出部の第１制御電極８８間に、ガード電極９６を設けるのが好ましい。
【００５４】
ガード電極９６は、隣接する吐出部の第１制御電極８８の間に配置され、隣接する吐出部のインクガイド８４の間に生じる電界干渉を抑制するためのものである。図５（ａ）、（ｂ）および（ｃ）は、それぞれ図４（ｂ）のＡ−Ａ線、Ｂ−Ｂ線およびＣ−Ｃ線矢視図である。図５（ａ）に示すように、ガード電極９６は、全吐出部に共通な金属板などのシート状の電極であり、２次元的に配列されている各吐出部毎の貫通孔９８の周囲に形成された第１制御電極８８に相当する部分が穿孔されている（図４参照）。なお、本実施形態において、ガード電極９６を設ける理由は、吐出部を高密度に配置すると、隣接する吐出部の電界の状態によって自分自身の吐出部の発生する電界が影響を受け、ドットサイズおよびドットの描画位置が乱れ、記録品質に悪影響を及ぼす場合があるからである。
【００５５】
ところで、ガード電極９６の図中上側には、貫通孔９８を除いて絶縁層９４ｃによって覆われ、ガード電極９６と第１制御電極８８との間には、絶縁層９４ｂが介在し、両電極９６と８８とを絶縁している。すなわち、ガード電極９６は、絶縁層９４ｃと絶縁層９４ｂとの間に配置され、第１制御電極８８は、絶縁層９４ｂと絶縁性基板８６との間に配置される。
【００５６】
すなわち、図５（ｂ）に示すように、絶縁性基板８６の上面には、従って、絶縁層９４ｂと絶縁性基板８６との間には、各吐出部毎の貫通孔９８の周囲に形成された第１制御電極８８が２次元的に配列されており、列方向の複数の第１制御電極８８が相互に接続されている。
【００５７】
また、図５（ｃ）に示すように、絶縁層９４ａの上面には、従って、絶縁性基板８６の下面には、すなわち、絶縁層９４ａと絶縁性基板８６との間には（図４参照）、各吐出部毎の貫通孔９８の周囲に形成された第２制御電極９０が２次元的に配列されており、行方向の複数の第２制御電極９０が相互に接続されている。
【００５８】
また、本実施形態において、各吐出部の制御電極、例えば第１および第２制御電極８８および９０からのインク流路１００方向への反発電界を遮蔽するために、第１および第２制御電極８８および９０の流路側にシールド電極を設置しても良い。
【００５９】
さらに、本実施形態の吐出ヘッド８０においては、インク流路１００の底面を構成すると共に、第１制御電極８８および第２制御電極９０に印加されるパルス電圧によって定常的に生じる誘導電圧により、インク流路１００内の正に帯電したインク粒子（荷電粒子、すなわち帯電微粒子）を上方へ向けて（すなわち記録媒体Ｐ側に向けて）泳動させる浮遊導電板９２が設けられている。また、浮遊導電板９２の表面には、電気絶縁性である被覆膜（図示せず）が形成されており、インクへの電荷注入等によりインクの物性や成分が不安定化することを防止する。絶縁性被覆膜の電気抵抗は、１０１２Ω・ｃｍ以上が望ましく、より望ましくは１０１３Ω・ｃｍ以上である。また、絶縁性被覆膜は、インクに対して耐腐食性であることが望ましく、これにより浮遊導電板９２がインクに腐食されることが防止される。また、浮遊導電板９２は、下方から絶縁部材で覆われており、このような構成により、浮遊導電板９２は、完全に電気的絶縁浮遊にされている。
【００６０】
浮遊導電板９２は、吐出ヘッドの１ユニットにつき１個以上である（例えば、Ｃ、Ｍ、Ｙ、Ｋの４つの吐出ヘッドがあった場合、浮遊導電板数は最低各１個ずつ有し、ＣとＭの吐出ヘッドユニット間で共通の浮遊導電板とすることはない）。
【００６１】
上述した実施形態においては、第１および第２制御電極８８および９０として、吐出部毎に円形電極等を設け、それぞれ行および列方向に接続しているが、本発明はこれに限定されず、全ての吐出部を独立にして、個々に駆動するようにしても良いし、第１および第２制御電極８８および９０の一方を全ての吐出部に共通のシート状電極（貫通孔９８部分は穿孔されている）としても良い。
【００６２】
また、上記実施形態においては、制御電極を第１および第２制御電極８８および９０の２層電極構造としているが、本発明はこれに限定されず、単層電極構造の制御電極としても良い。単層制御電極は、絶縁性基板８６のどちらの表面に配置させても良いが、記録媒体Ｐ側に設けるのが好ましい。各色の吐出ヘッドは、例えば以上のような構成ものである。
【００６３】
それぞれの吐出ヘッドは、その吐出部の配列方向が、記録媒体Ｐの搬送方向に直交する方向と一致するように配置され、各色の吐出ヘッドは記録媒体Ｐの搬送方向に沿って一列に配置されている。また、それぞれの吐出ヘッドは、そのインクの吐出部が、導電性プラテン３６が配置された位置の搬送ベルト３２の表面に対向する位置に、搬送ベルト３２上に静電吸着されて搬送されてくる記録媒体Ｐの表面と所定の一定間隔となるように配置されている。またそれぞれの吐出ヘッドの吐出部の配列方向は記録媒体Ｐの搬送方向と略並行に配置してもよい。この場合には吐出ヘッドを記録媒体Ｐの搬送方向と直交する方向に主走査しながら吐出を行い、その後に記録媒体Ｐを一定量のみ搬送することを繰り返すシリアルスキャンを行う。
【００６４】
前述の通り、対向電極となる搬送ベルト３２上に静電吸着された記録媒体Ｐの表面は、記録媒体Ｐの帯電装置３８により、所定の負の高電位に均一に帯電され、常に一定のＤＣバイアス電圧（約−１．５ｋＶ）が印加された状態である。また、各色の吐出ヘッドの吐出部の制御電極には、後述するインクジェットヘッド５６印加用のパルス電圧印加装置（図示省略）により、記録時に画像データに応じたパルス電圧が印加される。
【００６５】
各色の吐出ヘッドでは、記録媒体Ｐに、常に一定のＤＣバイアス電圧（約−１．５ｋＶ）が印加された状態で、パルス電圧として、高電圧（４００〜６００Ｖ）が印加された場合にはインクの吐出が行われ、低電圧（０Ｖ）が印加された場合にはインクの吐出は行われない。各色の吐出ヘッドから吐出されたインクは、負の高電位に帯電された記録媒体Ｐに引っ張られて記録媒体Ｐ上に付着し、画像データに対応したフルカラー画像が記録される。
【００６６】
なお、本実施形態では、対向電極となる搬送ベルト３２上に静電吸着された記録媒体Ｐの表面に、常に一定のＤＣバイアス電圧を印加し、制御電極には、記録時に画像データに応じたパルス電圧を印加しているが、対向電極側を接地し、後述するインクジェットヘッド５６印加用のＤＣバイアス電圧印加装置により、各色の吐出ヘッドの吐出部の制御電極側に、常に一定のＤＣバイアス電圧（例えば、１．５ｋＶ）を印加するようにしてもよい。
【００６７】
インク循環系６０は、インクタンク６４と、ポンプ（図示省略）と、インクの供給路および回収路６６とを備えている。インクタンク６６は、筐体２２内部の底面上に配置され、インクの供給路および回収路６６を介してインクジェットヘッド５６と接続されている。
【００６８】
インクタンク６４内には、各色の帯電微粒子と、これを分散させる分散溶媒とを含む４色のインクが保持されている。インクタンク６４内の各色のインクは、ポンプにより、インクの供給路６６を介して、インクジェットヘッド５６の各色の吐出ヘッドに供給される。また、画像記録に使用されなかった余分な各色のインクは、ポンプにより、インクの回収路６６を介して各色のインクタンク６４内に回収される。
【００６９】
記録媒体Ｐの位置検出装置６２は、フォトセンサ等の従来公知の位置検出手段であり、記録媒体Ｐの搬送経路上の、帯電装置３８とインクジェットヘッド５６との間の位置で、記録媒体Ｐが搬送される搬送ベルト３２の表面に対向する位置に配置されている。
【００７０】
位置検出装置６２により記録媒体Ｐの位置が検出され、その位置情報はヘッドドライバ５８に供給される。
【００７１】
ヘッドドライバ５８は、筐体２２内部の図中右面に取り付けられており、インクジェットヘッド５６と接続されている。
【００７２】
ヘッドドライバ５８には、外部装置から画像データが入力され、位置検出装置６２から記録媒体Ｐの位置情報が入力される。ヘッドドライバ５８の制御により、記録媒体Ｐの位置情報に従って、インクジェットヘッド５６の各色の吐出ヘッドの吐出タイミングが制御されつつ、画像データに応じて各色の吐出ヘッドから各色のインクが吐出され、記録媒体Ｐ上には、画像データに対応したフルカラー画像が記録される。
【００７３】
すなわち、記録媒体Ｐは、搬送手段１４により、インクジェットヘッド５６の前を所定の一定速度で搬送されつつ、記録手段１６により、その表面に４色印刷が行われてフルカラー画像が記録される。
【００７４】
続いて、溶媒回収手段１８について説明する。
溶媒回収手段１８は、インクジェットヘッド５６から記録媒体Ｐ上に吐出されたインクから蒸発する分散溶媒や、画像の定着時にインクから蒸発する分散溶媒等を回収するもので、活性炭フィルタ６８と、排出ファン７０とを備えている。活性炭フィルタ６８は、筐体２２の上蓋（開閉扉）２２ａの裏面に取り付けられ、排出ファン７０は、活性炭フィルタ６８の上に取り付けられている。
【００７５】
筐体２２内部の分散溶媒成分を含む空気は、排出ファン７０により、活性炭フィルタ６８を介して筐体２２の外部に排出される。その際、筐体２２内部の空気中に含まれる分散溶媒成分は、活性炭フィルタ６８によって吸着除去される。
【００７６】
続いて、高電圧装置の制御手段２０について説明する。
高電圧装置の制御手段２０は、筐体２２の上蓋２２ａが開放された場合に、高電圧装置を遮断するもので、検知装置７２と、遮断装置（図示省略）と、制御装置７４とを備えている。検知装置７２は制御装置７４に接続され、制御装置７４は、それぞれの高電圧装置に設けられた遮断装置に接続されている（図示省略）。
【００７７】
検知装置７２は、筐体２２の上蓋２２ａが開放されたことを検知するものである。上蓋２２ａは、筐体２２と係合する回転軸を中心として開閉され、検知装置７２は、回転軸近傍の上蓋２２ａの内壁面に取り付けられている。
【００７８】
上蓋２２ａが開放されると、検知装置７２により、上蓋２２ａが開放されたことが検知され、その検知情報が制御装置７４に供給される。また、上蓋２２ａが閉じられると、検知装置７２により、上蓋２２ａが閉じられたことが検知され、その検知情報が制御装置７４に供給される。
【００７９】
検知装置７２は、筐体２２の上蓋２２ａが開放されたことを検知可能なものであれば、従来公知のものがいずれも利用可能であるが、例えばリミッタスイッチ等の機械的スイッチは、高電圧のノイズの影響による誤動作が発生しにくいので好適に利用可能である。検知装置７２の設置場所も何ら制限されないが、手が触れること等による検知装置７２の誤作動を防止するために、奥手側の回転軸近傍に設置されるのが好ましい。
【００８０】
遮断装置は、高電圧装置の電源を遮断するもので、図示省略しているが、各々の高電圧装置の電源に対応して１つずつ設けられている。
【００８１】
ここで、高電圧装置は、各色の吐出ヘッドの吐出部の制御電極に、常に一定のＤＣバイアス電圧を印加するインクジェットヘッド５６印加用のＤＣバイアス電圧印加装置、各色の吐出ヘッドの吐出部の制御電極に、記録時に画像データに応じたパルス電圧を印加するインクジェットヘッド５６印加用のパルス電圧印加装置、記録媒体Ｐの帯電装置３８および除電装置４０等のように、高電圧を発生する各種の装置を含む。
【００８２】
制御装置７４は、検知装置７２により、筐体２２の上蓋２２ａが開放されたことが検知され、その検知情報が供給された場合に、高電圧装置の電源を遮断するように遮断装置を制御する。また、制御装置７４は、筐体２２の上蓋２２ａが閉じられたことが検知され、その検知情報が供給された場合に、高電圧装置の電源を通電するように遮断装置を制御する。制御装置７４は、回転軸近傍の上蓋２２ａの内壁面に検知装置７２に隣接して取り付けられている。
【００８３】
このように、筐体２２の上蓋２２ａが開放された場合に、高電圧装置の電源を遮断することにより、高電圧によって人が感電したり、周辺装置に悪影響を及ぼすのを未然に防止することができるので、装置使用時の安全性を向上させることができる。
【００８４】
制御装置７４は、インクジェットヘッド５６印加用のパルス電圧印加装置の電源を遮断し、次にインクジェットヘッド５６印加用のＤＣバイアス電圧印加装置があればその電源を遮断して、インクジェットヘッド５６に関連する高電圧装置の電源を遮断した後、記録媒体Ｐの帯電装置３８および除電装置４０等を含む、インクジェットヘッド５６に関連する高電圧装置以外の高電圧装置の電源を遮断するように、各遮断装置を制御するのが好ましい。
【００８５】
上記の順序で高電圧装置の電源を遮断することにより、例えば電源遮断時の記録媒体Ｐの分離によって、インクジェットヘッド５６で放電破壊が起こる等の不具合を未然に防止することができる。なお、上記の順序で高電圧装置の電源を遮断する手段は何ら限定されない。例えば、制御装置７４にタイマやディレイライン等の、従来公知の時間調整手段を設け、この時間調整手段で電源を遮断する順序を制御することが可能である。
【００８６】
以下、静電式インクジェット記録装置１０の動作を説明する。
【００８７】
静電式インクジェット記録装置１０では、画像の記録時に、給紙トレイ２４に収納された記録媒体Ｐがフィードローラ２６により１枚ずつ取り出され、搬送ローラ対３０により挟持搬送されて搬送ベルト３２上の所定位置に供給される。
【００８８】
搬送ベルト３２上に供給された記録媒体Ｐは、帯電装置３８により負の高電位に帯電され、搬送ベルト３２の表面に静電吸着される。
【００８９】
搬送ベルト３２の表面に静電吸着された記録媒体Ｐは、搬送ベルト３２の移動とともに所定の一定速度で移動されつつ、インクジェットヘッド５６により、その表面に画像データに対応した画像が記録される。
【００９０】
画像記録後の記録媒体Ｐは、除電装置４０により除電され、分離爪４２により搬送ベルト３２から分離され、ガイド４４に沿って定着ローラ対４６に供給される。そして、定着ローラ対４６により挟持搬送されつつ、記録された画像が加熱定着され、排出トレイ２８内に積層された状態でストックされる。
【００９１】
筐体２２の上蓋２２ａが開放されると、検知装置７２により、上蓋２２ａが開放されたことが検知され、その検知情報が制御装置７４に供給される。
【００９２】
筐体２２の上蓋２２ａが開放されたことを表す検知情報が制御装置７４に供給されると、制御装置７４は、高電圧装置の電源を遮断するように遮断装置を制御する。これにより、高電圧装置の電源は遮断される。
【００９３】
一方、上蓋２２ａが閉じられると、検知装置７２により、上蓋２２ａが閉じられたことが検知され、その検知情報が制御装置７４に供給される。
【００９４】
筐体２２の上蓋２２ａが閉じられたことを表す検知情報が制御装置７４に供給されると、制御装置７４は、高電圧装置の電源を通電するように遮断装置を制御する。これにより、高電圧装置の電源は通電される。また、もし描画動作中に筐体２２の上蓋２２ａが開放され、閉じられた場合には、その時点で描画は停止し、定着動作のみを行って記録媒体Ｐを排出するようにしても良い。
【００９５】
次に、本発明のインクジェット記録装置について、別の実施形態を挙げて説明する。
【００９６】
図２は、本発明の静電式インクジェット記録装置の第２の実施形態の構成概略図である。同図に示す静電式インクジェット記録装置１１は、記録媒体Ｐの両面上にフルカラー画像を記録可能である点を除いて、図１に示すインクジェット記録装置１０と大部分で同じ構成のものである。従って、両者で同一の構成要素には同一の符号を付してその詳細な説明を省略し、以下、インクジェット記録装置１１に特有の点を重点的に説明する。
【００９７】
インクジェット記録装置１１は、記録媒体Ｐの保持手段１２、搬送手段１４および記録手段１６と、溶媒回収手段１８と、高電圧装置の制御手段２０と、筐体２２とを備えている。
【００９８】
同様に、記録媒体Ｐの保持手段１２は、給紙トレイ２４と、フィードローラ２６と、排出トレイ２８とを備えている。給紙トレイ２４は、筐体２２内部の図中左側の底面上に配置され、フィードローラ２６は、給紙トレイ２４からの記録媒体Ｐの取出部の近傍に配置されている。また、排出トレイ２８は、筐体２２の外部の、記録媒体Ｐの排出部（図中筐体２２の右面の中央部）の近傍に配置されている。
【００９９】
続いて、記録媒体Ｐの搬送手段１４は、搬送ローラ３１ａ、３１ｂ、３１ｃと、搬送ベルト３２と、ベルトローラ３４ａ、３４ｂと、導電性プラテン３６と、記録媒体Ｐの帯電装置３８ａ、３８ｂおよび除電装置４０と、切替爪４３と、ガイド４４ａ、４４ｂ、４４ｃと、定着ローラ対４６と、反転ローラ対４７とを備えている。
【０１００】
搬送ローラ３１ａは、記録媒体Ｐの搬送経路上の、フィードローラ２６と記録手段１６との間の位置に設けられている。
【０１０１】
フィードローラ２６により給紙トレイ２４から取り出された記録媒体Ｐは、搬送ローラ３１と搬送ベルト３２との間に挟持され、搬送ベルト３２上を図中右側方向に搬送される。
【０１０２】
搬送ベルト３２は、リング状のエンドレスベルトであり、２つのベルトローラ３４ａ、３４ｂによって楕円形状に張架されている。
【０１０３】
記録媒体Ｐの帯電装置３８ａは、スコロトロン帯電器４８と、負の高圧電源５０とを備えている。帯電装置３８ａは、記録媒体Ｐの搬送経路上の、搬送ローラ３１ａと記録手段１６との間の位置に配置されている。また、記録媒体Ｐの除電装置４０は、コロトロン除電器５２と、負の高圧電源５４とを備えている。除電装置４０は、記録媒体Ｐの搬送経路上の、記録手段１６と定着ローラ対４６との間の位置に配置されている。
【０１０４】
定着ローラ対４６、切替爪４３、反転ローラ対４７、およびガイド４４ａは、記録媒体Ｐの搬送経路上の、除電装置４０の下流側にこの順に配置されている。ガイド４４ｂおよび搬送ローラ３１ｂは、排出時の搬送経路上の、切替爪４３と排出トレイ２８との間に配置され、ガイド４４ｃおよび搬送ローラ３１ｃは、記録媒体Ｐの反転時の搬送経路上の、反転ローラ対４７と帯電装置３８ｂとの間に配置されている。
【０１０５】
両面の記録が指定された場合、片面の記録後は、切替爪４３が反転位置に設定され、片面記録後の記録媒体Ｐは、反転ローラ対４７側に搬送される。記録媒体Ｐの先端部が反転ローラ対４７により挟持搬送され、その先端部がガイド４４ａ上に載って、後端部が定着ローラ対４６から離れると、後端部はガイド４４ｃ上に垂下する。このタイミングで反転ローラ対４７が反転され、記録媒体Ｐは、搬送ローラ３１ｃとガイド４４ｃとの間に挟持されて搬送され、ガイド４４ｃに沿って搬送ベルト３２上の所定の位置に供給される。
【０１０６】
片面のみの記録が指定された場合の、片面の記録後、および両面の記録が指定された場合の、両面の記録後は、切替爪４３が排出位置に設定され、記録後の記録媒体Ｐはガイド４４ｂ側に供給される。そして、定着ローラ対４６により、ガイド４４ｂに沿って搬送され、さらに搬送ローラ３１ｂとガイド４４ｂとの間に挟持されて搬送され、排出部から排出されて、排出トレイ２８内に順次積層されてストックされる。
【０１０７】
記録媒体Ｐの帯電装置３８ｂは、帯電装置３８ａと同様の構成のもので、記録媒体Ｐの反転時の搬送経路上の、ガイド４４ｃの下流側の位置で、反転ローラ対４７により、記録媒体Ｐが搬送された後の位置の搬送ベルト３２の表面に対向する位置に配置されている。
【０１０８】
ガイド４４ｃに沿って搬送ベルト３２上の所定位置に供給された記録媒体Ｐの表面は、帯電装置３８ｂにより帯電され、記録媒体Ｐは、搬送ベルト３２の絶縁性を有する表面上に再度静電吸着される。そして、搬送ベルト３２上に静電吸着された記録媒体Ｐは搬送ベルト３２の移動とともに移動され、再度搬送ローラ３１ａと搬送ベルト３２との間に挟持されて搬送され、その裏面側に画像が記録される。
【０１０９】
続いて、記録媒体Ｐの記録手段１６は、インクジェットヘッド５６と、ヘッドドライバ５８と、インク循環系６０と、記録媒体Ｐの位置検出装置６２とを備えている。
【０１１０】
インクジェットヘッド５６は、同時に１行分の画像を記録することが可能なラインヘッドであり、同様に、シアン（Ｃ）、マゼンタ（Ｍ）、イエロー（Ｙ）、ブラック（Ｂ）の４色の吐出ヘッドを備えている。
【０１１１】
インク循環系６０は、インクタンク６４と、ポンプ（図示省略）と、インクの供給路および回収路６６を備えている。インクタンク６６は、筐体２２内部の底面中央部上に配置され、インクの供給路および回収路６６を介してインクジェットヘッド５６と接続されている。
【０１１２】
ヘッドドライバ５８は、インクジェットヘッド５６の上部に配置されており、インクジェットヘッド５６と接続されている。
【０１１３】
続いて、溶媒回収手段１８は、筐体２２内部の底面中央部上に配置され、図示省略しているが、活性炭フィルタ、排出ファン、冷却装置等を備えている。
【０１１４】
筐体２２内部の分散溶媒成分を含む空気は、冷却装置により冷却されてその溶媒成分が凝縮され、排出ファンにより、活性炭フィルタを介して筐体２２の外部に排出される。その際、冷却装置により凝集された溶媒成分は再利用されるか、図示されない廃液タンクに収納される。
【０１１５】
続いて、高電圧装置の制御手段２０は、記録媒体Ｐのジャムが発生した場合に、高電圧装置を遮断するもので、検知装置７２と、遮断装置（図示省略）と、制御装置（図示省略）とを備えている。検知装置７２は制御装置に接続され、制御装置は、それぞれの高電圧装置に設けられた遮断装置に接続されている（図示省略）。
【０１１６】
検知装置７２は、記録媒体Ｐのジャムが発生したことを検知するもので、記録媒体Ｐの帯電装置３８ａと記録手段１６との間、記録媒体Ｐの除電装置４０と定着ローラ対４６との間、および記録媒体Ｐの帯電装置３８ｂと搬送ローラ３１との間の３箇所に取り付けられている。
【０１１７】
記録媒体Ｐのジャムが発生すると、検知装置７２により、記録媒体Ｐのジャムが発生したことが検知され、その検知情報が制御装置に供給される。また、記録媒体Ｐのジャムが解消されると、検知装置７２により、記録媒体Ｐのジャムが解消されたことが検知され、その検知情報が制御装置に供給される。
【０１１８】
検知装置７２は、記録媒体Ｐのジャムが発生したことを検知可能なものであれば、従来公知のものがいずれも利用可能であるが、同様にリミッタスイッチ等の機械的スイッチは、高電圧のノイズの影響による誤動作が発生しにくいので好適に利用可能である。検知装置７２の設置場所や個数等も何ら制限されない。
【０１１９】
遮断装置は、高電圧装置の電源を遮断するもので、図示省略しているが、各々の高電圧装置の電源に対応して１つずつ設けられている。
【０１２０】
制御装置は、検知装置７２により、記録媒体Ｐのジャムが発生したことが検知され、その検知情報が供給された場合に、高電圧装置の電源を遮断するように遮断装置を制御する。また、制御装置７４は、記録媒体Ｐのジャムが解消されたことが検知され、その検知情報が供給された場合に、高電圧装置の電源を通電するように遮断装置を制御する。また検知情報により、高電圧装置の電源を遮断するとともに、インクジェットヘッド５６を記録媒体Ｐから離れる方向に退避させることにより、ヘッドの不慮の物理的破損を防止することができる。
【０１２１】
このように、記録媒体Ｐのジャムが発生した場合に、高電圧装置の電源を遮断することにより、ジャムが発生した記録媒体Ｐを取り除く場合に、高電圧によって人が感電したり、周辺装置に悪影響を及ぼすのを未然に防止することができるので、装置使用時の安全性を向上させることができる。
【０１２２】
同様に、制御装置は、インクジェットヘッド５６印加用のパルス電圧印加装置の電源を遮断し、次にインクジェットヘッド５６印加用のＤＣバイアス電圧印加装置があればその電源を遮断して、インクジェットヘッド５６に関連する高電圧装置の電源を遮断した後、記録媒体Ｐの帯電装置３８ａ、３８ｂおよび除電装置４０等を含む、インクジェットヘッド５６に関連する高電圧装置以外の高電圧装置の電源を遮断するように、各遮断装置を制御するのが好ましい。
【０１２３】
以下、静電式インクジェット記録装置１１の動作を説明する。
【０１２４】
静電式インクジェット記録装置１１では、画像の記録時に、給紙トレイ２４に収納された記録媒体Ｐがフィードローラ２６により１枚ずつ取り出され、搬送ローラ３１ａと搬送ベルト３２との間に挟持されて、搬送ベルト３２上の所定位置に搬送される。
【０１２５】
搬送ベルト３２上の所定位置に搬送された記録媒体Ｐは、帯電装置３８ａにより負の高電位に帯電され、搬送ベルト３２の表面に静電吸着される。
【０１２６】
搬送ベルト３２の表面に静電吸着された記録媒体Ｐは、搬送ベルト３２の移動とともに所定の一定速度で移動されつつ、インクジェットヘッド５６により、その表面に画像データに対応した画像が記録される。
【０１２７】
片面記録後の記録媒体Ｐは、除電装置４０により除電され、定着ローラ対４６により挟持搬送されつつ、記録された画像が加熱定着される。
【０１２８】
片面のみの記録が指定されている場合、片面記録後の記録媒体Ｐは、排出位置に設定された切替爪４３に応じて、定着ローラ対４６により、ガイド４４ｂに沿って搬送され、さらに搬送ローラ３１ｂとガイド４４ｂとの間に挟持されて搬送され、排出部から排出されて、排出トレイ２８内に順次積層されてストックされる。
【０１２９】
これに対し、両面の記録が指定されている場合、片面記録後の記録媒体Ｐは、反転位置に設定された切替爪４３に応じて、定着ローラ対４６により、反転ローラ対４７側に搬送される。その後、反転ローラ対４７が反転され、記録媒体Ｐはガイド４４ｃに沿って搬送され、さらに搬送ローラ３１ｃとガイド４４ｃとの間に挟持されて搬送され、搬送ベルト３２上の所定の位置に供給される。すなわち、この段階で記録媒体Ｐは反転される。
【０１３０】
その後、反転された記録媒体Ｐは、搬送ベルト３２の移動とともに移動され、同様にして、その裏面に画像データに対応した画像が記録される。これ以後の動作は、片面のみの記録が指定されている場合と同じである。
【０１３１】
記録媒体Ｐのジャムが発生すると、記録媒体Ｐのジャムが発生したことが検知装置７２により検知され、その検知情報が制御装置に供給される。
【０１３２】
記録媒体Ｐのジャムが発生したことを表す検知情報が制御装置に供給されると、制御装置は、高電圧装置の電源を遮断するように遮断装置を制御する。これにより、高電圧装置の電源は遮断される。
【０１３３】
一方、記録媒体Ｐのジャムが解消されると、記録媒体Ｐのジャムが解消されたことが検知装置７２により検知され、その検知情報が制御装置に供給される。
【０１３４】
記録媒体Ｐのジャムが解消されたことを表す検知情報が制御装置に供給されると、制御装置は、高電圧装置の電源を通電するように遮断装置を制御する。これにより、高電圧装置の電源は通電される。
【０１３５】
なお、本発明は、図１および図２に示すインクジェット記録装置１０，１１に限定されるわけではなく、従来公知の各種形態の静電式インクジェット記録装置に適用可能である。すなわち、本発明が適用される静電式インクジェット記録装置を構成する記録媒体Ｐの保持手段１２、搬送手段１４および記録手段１６、溶媒回収手段１８、高電圧装置の制御手段２０の具体的な構成は、図示例のものに何ら制限されない。
【０１３６】
本発明は、基本的に以上のようなものである。
本発明の静電式インクジェット記録装置について詳細に説明したが、本発明は上記実施形態に限定されず、本発明の主旨を逸脱しない範囲において、種々の改良や変更をしてもよいのはもちろんである。
【０１３７】
【発明の効果】
以上詳細に説明した様に、本発明の静電式インクジェット記録装置によれば、メンテナンス時に筐体の開閉扉を開けた場合やジャム発生時などに、高電圧装置によって人が感電したり、周辺機器に悪影響を及ぼすことがなく、しかも、高電圧装置の制御手段は単純な構造のものであり、わずかなコストで実現できるため、安全に使用できる装置を安価に提供できる。また、本発明の静電式インクジェット記録装置によれば、誤動作による高電圧装置の遮断を極力防止することができるため、ヘッドドライバへの負担を小さく抑え、インクジェットヘッドを高寿命化することができる。
【図面の簡単な説明】
【図１】本発明の静電式インクジェット記録装置の第１の実施形態の構成概略図である。
【図２】本発明の静電式インクジェット記録装置の第２の実施形態の構成概略図である。
【図３】図１に示すインクジェットヘッドで使用されている各色の吐出ヘッドの一実施形態の概略構成を示す模式的部分斜視図である。
【図４】（ａ）は、図３に示す吐出ヘッドの一部を示す模式的断面図であり、（ｂ）は、図４（ａ）のＩＶ−ＩＶ線切断面図である。
【図５】（ａ）、（ｂ）および（ｃ）は、それぞれ図４（ｂ）のＡ−Ａ線、Ｂ−Ｂ線およびＣ−Ｃ線矢視図である。
【符号の説明】
１０，１１  静電式インクジェット記録装置
１２  保持手段
１４  搬送手段
１６  記録手段
１８  溶媒回収手段
２０  高電圧装置の制御手段
２２  筐体
２２ａ  上蓋
２４  給紙トレイ
２６  フィードローラ
２８  排出トレイ
３０  搬送ローラ対
３１ａ、３１ｂ、３１ｃ  搬送ローラ
３２  搬送ベルト
３４ａ、３４ｂ、３４ｃ  ベルトローラ
３６  導電性プラテン
３８  帯電装置
４０  除電装置
４２  分離爪
４４，４４ａ、４４ｂ、４４ｃ  ガイド
４６  定着ローラ対
４８  スコロトロン帯電器
５０，５４  高圧電源
５２  コロトロン除電器
５６  インクジェットヘッド
５８  ヘッドドライバ
６０  インク循環系
６２  位置検出装置
６４  インクタンク
６６  インクの供給路および回収路
６８  活性炭フィルタ
７０  排出ファン
７２  検知装置
７４  制御装置
８０  吐出ヘッド
８２  ヘッド基板
８４  インクガイド
８４ａ  インクガイドの先端部分
８６  絶縁性基板
８８，９０  制御電極
９２  浮遊導電板
９４ａ，９４ｂ，９４ｃ  絶縁層
９６  ガード電極
９８  貫通孔
１００  インク流路
【図１】
2005022197.tif 000003
【図２】
2005022197.tif 000004
【図３】
2005022197.tif 000005
【図４】
2005022197.tif 000006
【図５】
2005022197.tif 000007